(57)【特許請求の範囲】
【請求項１】
平行に延びる複数のワイヤであって、前記複数のワイヤの各々は、ケースに入れられたマイクロチップの幅よりも短い距離で隣接するワイヤの各々から離間され、且つ前記複数のワイヤの各々は、一平面内の複数の直線セグメントと、前記複数の直線セグメントのうちの２つを接続する複数の屈曲セグメントと、を備える、前記複数のワイヤを備え、
前記複数のワイヤの各々について、前記屈曲セグメントの各々は、第１の端部と、第２の端部と、前記一平面から離れて湾曲した湾曲部分と、を備え、前記第１の端部は、前記複数の直線セグメントの少なくとも１つに接続され、且つ前記ケースに入れられたマイクロチップの幅よりも大きな距離で前記第２の端部から分離され、前記湾曲部分は、前記ケースに入れられたマイクロチップの幅よりも大きな直径を備える、
ワイヤスクリーン。
【請求項２】
前記複数の直線セグメントと前記複数の屈曲セグメントを含む複数のセグメントを横切って整列され且つ取り付けられた、複数の支持ワイヤを更に備える、
請求項１に記載のワイヤスクリーン。
【請求項３】
前記複数の支持ワイヤは、４本以上の支持ワイヤを備える、
請求項２に記載のワイヤスクリーン。
【請求項４】
前記第１の端部と前記第２の端部との間の距離と、前記湾曲部分の直径とは、５ミリメートル以上である、
請求項１に記載のワイヤスクリーン。
【請求項５】
前記屈曲セグメントの各々は、
前記一平面に向かって円を描く連続的に減少する半径と；
前記ワイヤを前記一平面と同一線上にし平行にする前記第２の端部における第３の屈曲部と；を備える、
請求項１に記載のワイヤスクリーン。
【請求項６】
前記第１の端部と前記第２の端部との間の距離は、前記ケースに入れられたマイクロチップよりも１０％大きい、
請求項５に記載のワイヤスクリーン。
【請求項７】
前記複数の屈曲セグメントは、第１の複数の屈曲セグメントであり、前記ケースに入れられたマイクロチップは第１のケースに入れられたマイクロチップであり、
第２の複数の屈曲セグメントであって、前記第２の複数の屈曲セグメント内の各屈曲セグメントは、第３の端部と、第４の端部と、前記一平面から離れて湾曲する湾曲部分と、を備え、前記第３の端部は、前記複数の直線セグメントの少なくとも１つに接続され、且つ第２のケースに入れられたマイクロチップの幅よりも大きな距離で前記第４の端部から分離され、前記湾曲部分は、前記第２のケースに入れられたマイクロチップの幅よりも大きな直径を備える、前記第２の複数の屈曲セグメントを更に備える、
請求項１に記載のワイヤスクリーン。
【請求項８】
前記第２のケースに入れられたマイクロチップは、前記第１のケースに入れられたマイクロチップとはサイズが異なる、
請求項７に記載のワイヤスクリーン。
【請求項９】
前記ワイヤスクリーンは、長方形の断面を備える、
請求項１に記載のワイヤスクリーン。
【請求項１０】
ケースに入れられたマイクロチップを坑井内で循環させるステップであって、前記マイクロチップは、前記坑井内の特性を分析するように構成されている、ステップと；
上側設備で前記マイクロチップを受け取るステップと；
前記マイクロチップを循環される流体及び循環される掘り屑からスクリーンを用いて分離するステップであって、前記スクリーンは、
互いに等間隔で平行に延びる複数のワイヤと；
前記複数のワイヤで形成された複数のトラップであって、前記トラップは、前記複数のワイヤで形成され、前記複数のワイヤに対して垂直に配向され、前記坑井内を循環するように構成された前記マイクロチップを受け取るように構成される、前記複数のトラップと；を備える、ステップと；を備える、
方法。
【請求項１１】
前記複数のトラップは、
ワイヤの第１の屈曲部であって、前記スクリーンの一平面から下方向に屈曲する、前記第１の屈曲部と；
前記スクリーンに向かって戻る、半径が連続的に減少する第２の屈曲部と；
前記ワイヤを前記スクリーンの一平面と同一線上にし平行にする第３の屈曲部と；を備える、
請求項１０に記載の方法。
【請求項１２】
前記マイクロチップを分離するステップは、循環される流体をシェーカーテーブルを通過する前に前記スクリーンに流すステップを更に備える、
請求項１０に記載の方法。
【請求項１３】
前記トラップが満たされた後に前記スクリーンを除去するステップと；
前記トラップから前記マイクロチップを除去するステップと；を更に備える、
請求項１０に記載の方法。
【請求項１４】
地層に形成された坑井と；
前記坑井を通して流体を循環させるように構成された循環ポンプと；
坑井掘り屑を前記循環される流体から分離するように構成されたシェーカーテーブルと；
前記循環される流体と共に前記坑井を通じて循環されるように構成された複数のカプセル化されたマイクロチップと；
スクリーンであって、
平行に延びる複数のワイヤであって、前記複数のワイヤの各々は、ケースに入れられたマイクロチップの幅よりも短い距離で隣接するワイヤの各々から離間され、且つ前記複数のワイヤの各々は、一平面内の複数の直線セグメントと、前記複数の直線セグメントのうちの２つを接続する複数の屈曲セグメントと、を備える、前記複数のワイヤを備え、
前記複数のワイヤの各々について、前記屈曲セグメントの各々は、第１の端部と、第２の端部と、前記一平面から離れて湾曲した湾曲部分と、を備え、前記第１の端部は、前記複数の直線セグメントの少なくとも１つに接続され、且つ前記ケースに入れられたマイクロチップの幅よりも大きな距離で前記第２の端部から分離され、前記湾曲部分は、前記ケースに入れられたマイクロチップの幅よりも大きな直径を備える、前記スクリーンと；
前記スクリーンの少なくとも３つの側面から前記スクリーンを固定するように構成されたスクリーン台と；
前記マイクロチップが前記湾曲部分から跳ね返るのを防ぐように構成された障害物と；を備える、
坑井システム。
【請求項１５】
前記スクリーンは、前記シェーカーテーブルに取り付けられている、
請求項１４に記載の坑井システム。
【請求項１６】
前記ケースに入れられたマイクロチップはケースに入れられたマイクロチップの第１のセットであり、前記スクリーンは第１のスクリーンであり、前記ケースに入れられたマイクロチップの第１のセットとは異なるサイズである第２の複数のケースに入れられたマイクロチップを捕捉するように構成されたトラップを備えた第２のスクリーンを更に備える、
請求項１４に記載の坑井システム。
【請求項１７】
前記スクリーンは、使用時に水平から１０°〜７５°の範囲で取り付けられる、
請求項１４に記載の坑井システム。
【請求項１８】
前記湾曲部分の各々は、使用時に下方向に延びるように構成される、
請求項１４に記載の坑井システム。
【請求項１９】
前記スクリーンは、前記シェーカーテーブルの下流に配置される、
請求項１４に記載の坑井システム。
【発明の詳細な説明】
【技術分野】
【０００１】
本願は２０１７年７月１２日に出願された米国特許出願第１５／６４７，９３６号の優先権を主張し、その全内容は、参照により本明細書に組み込まれる。
【０００２】
本開示は、掘削流体から固体を回収することに関する。
【背景技術】
【０００３】
炭化水素生産では、坑井が地層に掘削される。坑井の掘削中、掘削（ドリル）ビットを冷却し、掘り屑（ｃｕｔｔｉｎｇｓ、ざく）を坑井から洗い流すために、流体を循環させることができる。損失制御媒体（ｌｏｓｓ  ｃｏｎｔｒｏｌ  ｍｅｄｉａ）又はケースに入れられた（ｅｎｃａｓｅｄ）マイクロチップといった粒子を、循環流体に添加することができる。
【発明の概要】
【０００４】
本開示は、掘削用マイクロチップの回収に関する。
【０００５】
本開示内に記載される主題の例示的な実施は、以下の特徴を有するワイヤスクリーンである。複数のワイヤが互いに平行に延びる。各ワイヤは、隣接する各ワイヤから、ケースに入れられたマイクロチップの幅よりも短い距離で離間される。複数のワイヤの各々は、平面内の複数の直線セグメント（部分）と、複数の直線セグメントのうちの２つを接続する屈曲セグメントとを含む。各ワイヤについて、各屈曲セグメントは、第１の端部と、第２の端部と、平面から離れて湾曲した湾曲部分とを含む。第１の端部は直線セグメントの少なくとも１つに接続されると共に、第２の端部から、ケースに入れられたマイクロチップの幅よりも大きい距離だけ離れている。湾曲部分は、ケースに入れられたマイクロチップの幅よりも大きい直径を含む。
【０００６】
単独で又は組み合わせて実施例と組み合わせ可能な実施例の態様には、以下のものが含まれる。すなわち、複数の支持ワイヤを、セグメントを横切って整列させ、これらのセグメントに取り付けることができる。
【０００７】
単独で又は組み合わせて実施例と組み合わせ可能な実施例の態様には、以下のものが含まれる。すなわち、複数の支持ワイヤは、４つ以上の支持ワイヤを含むことができる。
【０００８】
単独で又は組み合わせて実施例と組み合わせ可能な実施例の態様には、以下のものが含まれる。すなわち、第１の端部と第２の端部との間の距離及び湾曲部分の直径は、５ミリメートル以上とすることができる。
【０００９】
単独で又は組み合わせて実施例と組み合わせ可能な実施例の態様には、以下のものが含まれる。すなわち、各屈曲セグメントは平面に向かって戻るように円を描く連続的に減少する半径と、ワイヤを平面と同一線上にし平行にする第２の端部における第３の屈曲部とを含むことができる。
【００１０】
単独で又は組み合わせて実施例と組み合わせ可能な実施例の態様には、以下のものが含まれる。すなわち、第１の端部と第２の端部との間の距離は、ケースに入れられたマイクロチップよりも１０パーセント大きくすることができる。
【００１１】
単独で又は組み合わせて実施例と組み合わせ可能な実施例の態様には、以下のものが含まれる。すなわち、屈曲セグメントは屈曲セグメントの第１のセットであり、ケースに入れられたマイクロチップは、第１のケースに入れられたマイクロチップである。ワイヤスクリーンは、屈曲セグメントの第２のセットを含むことができる。第２のセットのセグメントの各屈曲セグメントは、第３の端部と、第４の端部と、平面から離れるように湾曲した湾曲部分とを含む。第３の端部は、直線セグメントのうちの少なくとも１つに接続され、第２のケースに入れられたマイクロチップの幅よりも大きな距離だけ、第４の端部から離間される。湾曲部分は、第２のケースに入れられたマイクロチップの幅よりも大きい直径を含む。
【００１２】
単独で又は組み合わせて実施例と組み合わせ可能な実施例の態様には、以下のものが含まれる。すなわち、第２のケースに入れられたマイクロチップは、第１のマイクロチップとは異なるサイズである。
【００１３】
単独で又は組み合わせて実施例と組み合わせ可能な実施例の態様には、以下のものが含まれる。すなわち、スクリーンは、実質的に長方形の断面を含むことができる。
【００１４】
本開示内に記載される主題の例示的な実施は、以下の特徴を有する方法である。ケースに入れられたマイクロチップは、坑井を下って循環される。マイクロチップは、坑井内の特性を分析することができる。ケースに入れられたマイクロチップは、上側（ｔｏｐｓｉｄｅ）設備で受け取られる。マイクロチップは、互いに平行且つ等間隔に延びるワイヤと、ワイヤで形成されたトラップとを含むスクリーンによって、循環される流体及び循環される掘り屑から分離される。トラップは、ワイヤで形成され、複数のワイヤに対して垂直に配向される。トラップは、坑井内を循環するケースに入れられたマイクロチップを受け取ることができる。
【００１５】
単独で又は組み合わせて例示の方法と組み合わせ可能な例示の方法の態様には、以下のものが含まれる。すなわち、トラップは、ワイヤ内に第１の屈曲部を含むことができる。屈曲部はスクリーンの平面から下向きに曲がることができる。トラップは、スクリーンに向かって円を描く連続的に減少する半径を有する第２の屈曲部を含むことができる。トラップは、ワイヤをスクリーンの平面と一直線上に且つ平行にする第３の屈曲部を含むことができる。
【００１６】
単独で又は組み合わせて例示の方法と組み合わせ可能な例示の方法の態様には、以下のものが含まれる。すなわち、マイクロチップを分離することは、流体がシェーカーテーブルを通過する前に、循環される流体をスクリーンに流すことを含むことができる。
【００１７】
単独で又は組み合わせて例示の方法と組み合わせ可能な例示の方法の態様には、以下のものが含まれる。すなわち、トラップが満たされた後、スクリーンを取り外すことができる。マイクロチップは、トラップから取り外すことができる。
【００１８】
本開示内に記載される主題の例示的な実施は、以下の特徴を有する坑井システムである。坑井は地層に形成される。循環ポンプは、坑井を通って流体を循環させることができる。シェーカーテーブルは、坑井掘り屑を循環される流体から分離することができる。カプセル化されたマイクロチップは、循環される流体と共に坑井を通って循環することができる。このシステムは、互いに平行に延びるスクリーンを含む。各ワイヤはそれぞれの隣接するワイヤから、ケースに入れられたマイクロチップの幅よりも短い距離で離間している。各ワイヤは、平面内の複数の直線セグメントと、直線セグメントを接続する複数の屈曲セグメントとを含む。ワイヤの各々について、各屈曲セグメントは、第１の端部と、第２の端部と、平面から離れるように湾曲した湾曲部分とを含む。第１の端部は、直線部分の少なくとも１つに接続され、且つケースに入れられたマイクロチップの幅よりも大きい距離だけ第２の端部から離間される。湾曲部分は、ケースに入れられたマイクロチップの幅よりも大きい直径を含む。スクリーン台（ｍｏｕｎｔ）は、スクリーンの少なくとも３つの側面からスクリーンを固定する。障害物は、スクリーンの上方に配置される。障害物は、マイクロチップが湾曲部分から跳ね返る（ｂｏｕｎｃｅ）のを防止する。
【００１９】
単独で又は組み合わせて例示のシステムと組み合わせ可能な例示のシステムの態様には、以下のものが含まれる。すなわち、スクリーンは、シェーカーテーブルに取り付けることができる。
【００２０】
単独で又は組み合わせて例示の方法と組み合わせ可能な例示の方法の態様には、以下のものが含まれる。すなわち、ケースに入れられたマイクロチップはケースに入れられたマイクロチップの第１のセットであり、スクリーンは、第１のスクリーンである。システムは、第１のセットのケースに入れられたマイクロチップとは異なるサイズである第２のセットのケースに入れられたマイクロチップを捕捉することができるトラップを有する第２のスクリーンをさらに含むことができる。
【００２１】
単独で又は組み合わせて例示の方法と組み合わせ可能な例示の方法の態様には、以下のものが含まれる。すなわち、スクリーンは、使用時に水平から１０°〜７５°の間に取り付けることができる。単独で又は組み合わせて例示の方法と組み合わせ可能な例示の方法の態様には、以下のものが含まれる。各湾曲部は、使用時に下向きに延びることができる。
【００２２】
単独で又は組み合わせて例示の方法と組み合わせ可能な例示の方法の態様には、以下のものが含まれる。すなわち、スクリーンは、シェーカーテーブルの下流に配置することができる。
【００２３】
添付の図面及び以下の説明において、本開示の１又は複数の実施の詳細を述べる。本開示の他の特徴、目的、及び利点は、明細書及び図面、並びに特許請求の範囲から明らかになるであろう。
【図面の簡単な説明】
【００２４】
【図１Ａ】図１Ａは、例示的な掘削循環システムの概略図である。
【図１Ｂ】図１Ｂは、例示的な掘削循環システムの概略図である。
【００２５】
【図２Ａ】図２Ａは、例示的なスクリーンの斜視図である。
【００２６】
【図２Ｂ】図２Ｂは、例示的なワイヤスクリーンの側面図である。
【００２７】
【図２Ｃ】図２Ｃは、例示的なワイヤスクリーンの上面図である。
【００２８】
【図３】図３は、坑井流体から封入マイクロチップを捕捉するための例示的な方法のフローチャートである。
【００２９】
様々な図面における同様の符号番号及び名称は、同様の要素を示す。
【発明を実施するための形態】
【００３０】
掘削作業中、ケースに入れられたマイクロチップは、坑井循環流体で循環させることができる。ケースに入れられたマイクロチップは、例えば、マイクロチップ内の１つ又は複数のセンサが、圧力、温度、又はガンマ線を読み取ることができることを用いて、掘削作業中に坑井の特性を特定するために使用することができる。ケースに入れられたマイクロチップからデータを回復（ｒｅｃｏｖｅｒ）するために、物理的マイクロチップを循環流体から回復することができる。
【００３１】
本開示は、循環される掘削流体からマイクロチップを除去するための装置及び方法について論じる。例えば、装置は、マイクロチップを捕捉又は他の方法で除去するための平行なワイヤとトラップとを含むワイヤスクリーンとすることができる。平行なワイヤはマイクロチップの幅よりも小さい距離だけ離間させることができ、この小さい距離は、マイクロチップが平行なワイヤを通過するのを防止することができる。トラップは、マイクロチップが開口を通ってトラップに入ることを可能にする、マイクロチップの幅よりも広い開口を画定する。トラップは、循環される掘削流体からケースに入れられたマイクロチップを捕捉し、トラップし、又はその他の方法で除去する。トラップはワイヤから、マイクロチップが入るのに十分な大きさであるが、ほとんどの坑井掘り屑（ｗｅｌｌｂｏｒｅ  ｃｕｔｔｉｎｇｓ、坑井カッティングス）よりも小さい開口を有するスクープ形状又は他の湾曲形状に形成することができる。開示されたスクリーンは、掘削流体からマイクロチップを除去するように構成された他の構成及び材料を使用することができる。いくつかの実施では、スクリーンが坑井循環システム内のいくつかの箇所で利用することができる。例えば、スクリーンは、上流、下流、又はシェーカーテーブル（振動テーブル）もしくは同様の分離システム内に設置することができる。
【００３２】
図１Ａ及び図１Ｂは、本開示のいくつかの実施に係る、循環される掘削流体からマイクロチップを除去するための例示的な坑井循環システム１００の側面図及び上面図を示すものである。図示のように、坑井循環システム１００は、循環される掘削流体１１４からマイクロチップ１２８を除去するように構成されたスクリーン１２２を含む。一般に、掘削流体１１４は、坑井掘り屑１２９とマイクロチップ１２８の両方を含むことができる。いくつかの実施では、スクリーン１２２は、人の介入とは無関係に、坑井掘り屑１２９からマイクロチップ１２８をフィルタリング可能である。そうすることによって、スクリーン１２２は掘削流体１１４又は坑井掘り屑１２９がスクリーン１２２を通過するか、またはその上を通過することを可能にしながら、マイクロチップを除去することができる。
【００３３】
図示されているように、坑井循環システムには、噴出防止装置（ｂｌｏｗｏｕｔ  ｐｒｅｖｅｎｔｅｒ）及び坑井１０６の坑口１１８を通して選択的に位置する掘削ストリング１０８の重量を支える掘削やぐら（ｄｒｉｌｌ  ｄｅｒｒｉｃｋ）１１６が含まれる。掘削ストリング１０８は、地層１０４内の坑井１０６を掘削する掘削ビット１１０に接続されたダウンホール端部（ｄｏｗｎ−ｈｏｌｅ  ｅｎｄ）を有する。坑井掘り屑１２９の掘削及び除去を容易にするために、循環ポンプ１３４が坑井１０６を通して掘削流体１１４を循環させる。循環ポンプ１３４の入口は第１のパイプ１２６を介して泥水（ｍｕｄ）ピット１２４に接続され、循環ポンプ１３４の出口ポートは第２のパイプ１５０を介して掘削ストリング１０８の上端に接続される。噴出防止装置１１８は、第３のパイプ１２０を介してスクリーン１２２及びシェーカーテーブル１２１に接続されている。泥水ピット１２４は、スクリーン１２２及びシェーカーテーブル１２１に接続され、循環される流体１１４を受け入れる。
【００３４】
前述したように、循環される流体１１４は、ケースに入れられたマイクロチップ１２８を循環させる。図示の例では、スクリーン１２２が、循環される流体１１４からマイクロチップ１２８を捕捉し、フィルタリングし、又は他の方法で除去するように設計されている。いくつかの実施では、マイクロチップ１２８は全体的に又は部分的にケースに入れられていてもよい。この循環システムはシェーカーテーブル１２１に取り付けられたスクリーンを有するが、スクリーン１２２は本開示の範囲から逸脱することなく、他の位置に配置されていてもよい。例えば、スクリーン１２２は、シェーカーテーブル１２１の上流又は下流のいずれかに配置することができる。スクリーン１２２は、マイクロチップ１２８の幅よりも広く、いくつかの坑井掘り屑１２９の幅よりも小さい開口部を画定するトラップを含むことができる。例えば、トラップは、マイクロチップ１２８の幅よりも広い開口を画定する湾曲部分を含むことができる。トラップは、本開示の範囲から逸脱することなく、他の形状を含んでもよい。いくつかの実施では、マイクロチップ１２８がスクリーン内のトラップから跳ね返るのを防止するために、障害物（ｏｂｓｔａｃｌｅ）１２３をスクリーン１２２の上に配置することができる。図示の例では、スクリーン１２２が水平に対してある角度で設置される。例えば、スクリーンは、水平面に対して１０°〜７５°の角度で取り付けることができる。スクリーン１２２は、スクリーン１２２の少なくとも３つの側部からスクリーン１２２を固定する取付けシステムにより取り付けることができる。
【００３５】
循環中、流体１１４は泥水ピット１２４から圧送され、第１のパイプ１２６を通って循環ポンプ１３４の入口ポートに流入する。次に、循環ポンプ１３４は、流体１１４を出口ポートから第２のパイプ１５０を介して掘削ストリングの上端部に圧送する。掘削ストリングは坑口及び噴出防止装置１１８を通過し、掘削ビット１１０を通って坑井１０６に入る。掘削ビット１１０を出た後、流体１１４は掘り屑１２９及びマイクロチップ１２８を運搬しながら、坑井環状部（ａｎｎｕｌｕｓ）を通って坑口に向かって流れる。流体１１４は、噴出防止装置１１８を通過し、第３のパイプ１２０を通ってスクリーン１２２及びシェーカーテーブル１２１に流れる。スクリーン１２２は流体１１４からマイクロチップ１２８を除去し、シェーカーテーブル１２１は、坑井掘り屑１２９を除去する。その後、掘削流体１１４は泥水ピット１２４に送られる。図示された実施は垂直方向の掘削を示しているが、本開示の原理は偏った方向又は水平方向の坑井にも同様に適用することができる。
【００３６】
図２Ａ乃至図２Ｃは、いくつかの実施に係る、マイクロチップ１２８を除去するための例示的なスクリーン１２２の詳細を示す図である。マイクロチップを除去するための他のスクリーン構成を、本開示の範囲から逸脱することなく実施することができる。スクリーン１２２は、複数の平行ワイヤ２０２を含む。各ワイヤ２０２は、マイクロチップ１２８の幅未満の距離で、隣接する各ワイヤから離間される。例えば、マイクロチップが球形である場合、当該距離はこの球の直径よりも小さい。各ワイヤ２０２は、平面内の直線セグメント２１４ａと、直線セグメント２１４ａを接続する屈曲セグメント２１６ａとを含む。屈曲セグメント２１６ａは、ケースに入れられたマイクロチップ１２８を捕捉するように構成されたトラップ２０４を形成する。各ワイヤ２０２について、各屈曲セグメント２１６ａは、第１の端部２０７ａと、第２の端部２０８ａと、スクリーン１２２の平面から離れるように湾曲した湾曲部分２１０ａとを含む。少なくとも１つのサブセットが、ワイヤ２０２のセグメント２１６の第１の端部２０７ａ及び第２の端部２０８ａに接続される。接続された第１の端部２０７ａ及び第２の端部２０８ａは、ケースに入れられたマイクロチップ１２８の幅よりも大きな距離２１２ａだけ離れている。例えば、ケースに入れられたマイクロチップ１２８は直径が５ミリメートルであってもよく、距離２１２ａはケースに入れられたマイクロチップの直径よりも１０％大きくてもよい。すなわち、第１の端部２０７ａと第２の端部２０８ａとの間の距離２１２ａは、５ミリメートル以上である。いくつかの実施では、距離２１２ａはマイクロチップ１２８よりも大きい掘り屑１２９がトラップ２０４上を通過して後のステップで除去されることを可能にし、一方、マイクロチップ１２８よりも小さい掘り屑１２９はワイヤ２０２の隙間を通過することができる。
【００３７】
図示されるように、湾曲部分２１０ａはスクリーン１２２がシステム１００内に設置されるとき、略下方向に延在する。マイクロチップ１２８が球状である場合、湾曲部分２１０ａは、ケースに入れられたマイクロチップ１２８の幅よりも大きい直径を有する円形部分を含むことができる。いくつかの実施では、円形部分の直径は、５ミリメートル以上といった距離２１２ａに等しいか、またはそれより大きくすることができる。
【００３８】
図示された実施では、ワイヤスクリーン１２２は、直線セグメント２１４ａに取り付けられた平行な支持ワイヤ２０６を含む。図示された実施は、ワイヤ２０２に対して横方向に延びる支持ワイヤ２０６を示しているが、他の向きであっても可能である。いくつかの実施では、４本の支持ワイヤ２０２を使用することができるが、スクリーン１２２のサイズ、ワイヤ２０２の強度、スクリーン１２２の形状、または他の要因に応じて、より多くの又はより少ない支持ワイヤを使用することができる。
【００３９】
図示された実施では、スクリーン１２２は複数のトラップ２０４を含む。いくつかの実施では、各屈曲セグメント２１６ａが平面に向かって戻るように円を描く連続的に減少する半径と、ワイヤをスクリーン１２２の平面と一直線（ｉｎ−ｌｉｎｅ）にして平行にする第２の端部２０８ａにおける第３の屈曲部とを含むことができる。図示された実施は、ケースに入れられたマイクロチップ１２８を適切に捕捉することができる屈曲セグメント２１６ａの幾何学形状の一例である。トラップ２０４には、本開示の範囲から逸脱することなく、掘り屑１２９がスクリーン１２２上をスライドするかスクリーン１２２を通過する間に、ケースに入れられたマイクロチップ１２８を捕捉し、トラップし、又は他の方法で除去できる他の形状を使用できる。例えば、屈曲セグメント２１６ａは、一定の半径を有することができる。いくつかの実施では、トラップの各セットが異なる幾何学形状を有することができる。例えば、第１のトラップ２０４ａは、第２のトラップ２０４ｂとは異なる幾何学形状を有することができる。いくつかの実施では、トラップを含む別の第２のスクリーンを使用することができる。第２のスクリーンは、ケースに入れられたマイクロチップの第１のセットとは異なるサイズであるケースに入れられたマイクロチップの第２のセットを捕捉するように構成されたトラップを含むことができる。
【００４０】
いくつかの実施では、スクリーン１２２は、本開示の範囲から逸脱することなく、異なるサイズのケースに入れられたマイクロチップを捕捉することが可能な異なるサイズのトラップを含むことができる。このような実施では、第２のセットの屈曲セグメント２１６ｂが第２のトラップ２０４ｂを形成することができる。第２のセットの屈曲セグメント２１６ｂのそれぞれは、第２のセットの直線セグメント２１４ｂ内に配置され、第３の端部２０７ｂと、第４の端部２０８ｂと、平面から離れて湾曲した湾曲部分２１０ｂとを含む。第３の端部２０７ｂは、直線セグメント２１４ｂの少なくとも１つに接続され、第２のケースに入れられたマイクロチップ１２８ｂの幅よりも大きな距離２１２ｂだけ第４の端部２０８ｂから分離される。湾曲部分２１０ｂは、ケースに入れられたマイクロチップ１２８ｂの幅よりも大きな直径を含むことができる。いくつかの実施では、トラップ２０４のいくつかは、異なるサイズのケースに入れられたマイクロチップを捕捉するように構成することができる。例えば、第１のトラップ２０４ａは直径が５ミリメートルであるケースに入れられたマイクロチップ１２８ａを捕捉することができ、第２のトラップ２０４ｂは、６ミリメートルであるケースに入れられたマイクロチップ１２８ｂを捕捉することができる。トラップは任意のサイズのケースに入れられたマイクロチップ、例えば、７ミリメートルのケースに入れられたマイクロチップ又は８ミリメートルのケースに入れられたマイクロチップを捕捉するように構成することができる。
【００４１】
図２Ｃから容易に分かるように、スクリーン１２２は、実質的に長方形の断面を含むことができる。図示された実施は、長方形の断面を含むことができるが、他の断面形状も含むことができる。例えば、スクリーンは、円形の断面を有することができる。
【００４２】
図３は、ケースに入れられたマイクロチップ１２８を循環される流体１１４から分離するために使用することができる例示的な方法のフローチャートを示したものである。３０２において、ケースに入れられたマイクロチップ１２８が坑井１０６に沿って循環される。マイクロチップ１２８は、圧力、温度、ガンマ線、又は任意の他のダウンホール特性等、坑井内の特性を分析することができる。３０４において、ケースに入れられたマイクロチップ１２８は、システム１００に示された設備のような上側設備に受け入れられる。３０６において、マイクロチップは、スクリーン１２２によって循環される流体及び循環される掘り屑から分離される。前述したように、スクリーン１２２は、互いに平行かつ等間隔に延びるワイヤ２０２を含むことができる。また、スクリーン１２２は、ワイヤで形成されたトラップ２０４を含むことができる。トラップ２０４は、ケースに入れられたマイクロチップ１２８を受け入れることができる。マイクロチップを分離するステップは、流体がシェーカーテーブルを通過する前に、循環される流体をスクリーンに流すステップを含むことができる。３０８において、トラップ２０４が満たされた後、スクリーン１２２が除去される。３１０において、マイクロチップはトラップから除去される。次いで、データは、ワイヤレスリーダーを用いてマイクロチップから収集され得る。
【００４３】
本開示のいくつかの実施を説明した。とはいえ、本開示の技術思想及び範囲から逸脱することなく、種々の改変が許容されることを理解されたい。従って、他の実施は以下の特許請求の範囲内にある。
以下、本発明の実施の態様の例を列挙する。
［第１の局面］
平行に延びる複数のワイヤであって、前記複数のワイヤの各々は、ケースに入れられたマイクロチップの幅よりも短い距離で隣接するワイヤの各々から離間され、且つ前記複数のワイヤの各々は、一平面内の複数の直線セグメントと、前記複数の直線セグメントのうちの２つを接続する複数の屈曲セグメントと、を備える、前記複数のワイヤを備え、
前記複数のワイヤの各々について、前記複数のセグメント内の前記屈曲セグメントの各々は、第１の端部と、第２の端部と、前記一平面から離れて湾曲した湾曲部分と、を備え、前記第１の端部は、前記複数の直線セグメントの少なくとも１つに接続され、且つ前記ケースに入れられたマイクロチップの幅よりも大きな距離で前記第２の端部から分離され、前記湾曲部分は、前記ケースに入れられたマイクロチップの幅よりも大きな直径を備える、
ワイヤスクリーン。
［第２の局面］
前記複数のセグメントを横切って整列され且つ取り付けられた、複数の支持ワイヤを更に備える、
第１の局面に記載のワイヤスクリーン。
［第３の局面］
前記複数の支持ワイヤは、４本以上の支持ワイヤを備える、
第２の局面に記載のワイヤスクリーン。
［第４の局面］
前記第１の端部と前記第２の端部との間の距離と、前記湾曲部分の直径とは、５ミリメートル以上である、
第１の局面に記載のワイヤスクリーン。
［第５の局面］
前記屈曲セグメントの各々は、
前記一平面に向かって円を描く連続的に減少する半径と；
前記ワイヤを前記一平面と同一線上にし平行にする前記第２の端部における第３の屈曲部と；を備える、
第１の局面に記載のワイヤスクリーン。
［第６の局面］
前記第１の端部と前記第２の端部との間の距離は、前記ケースに入れられたマイクロチップよりも１０％大きい、
第５の局面に記載のワイヤスクリーン。
［第７の局面］
前記複数の屈曲セグメントは、第１の複数の屈曲セグメントであり、前記ケースに入れられたマイクロチップは第１のケースに入れられたマイクロチップであり、
第２の複数の屈曲セグメントであって、前記第２の複数の屈曲セグメント内の各屈曲セグメントは、第３の端部と、第４の端部と、前記一平面から離れて湾曲する湾曲部分と、を備え、前記第３の端部は、前記複数の直線セグメントの少なくとも１つに接続され、且つ第２のケースに入れられたマイクロチップの幅よりも大きな距離で前記第４の端部から分離され、前記湾曲部分は、前記第２のケースに入れられたマイクロチップの幅よりも大きな直径を備える、前記第２の複数の屈曲セグメントを更に備える、
第１の局面に記載のワイヤスクリーン。
［第８の局面］
前記第２のマイクロチップは、前記第１のマイクロチップとはサイズが異なる、
第７の局面に記載のワイヤスクリーン。
［第９の局面］
前記スクリーンは、実質的に長方形の断面を備える、
第１の局面に記載のワイヤスクリーン。
［第１０の局面］
ケースに入れられたマイクロチップを坑井内で循環させるステップであって、前記マイクロチップは、前記坑井内の特性を分析するように構成されている、ステップと；
上側設備で前記マイクロチップを受け取るステップと；
前記マイクロチップを循環される流体及び循環される掘り屑からスクリーンを用いて分離するステップであって、前記スクリーンは、
互いに等間隔で平行に延びる複数のワイヤと；
前記複数のワイヤで形成された複数のトラップであって、前記トラップは、前記複数のワイヤで形成され、前記複数のワイヤに対して垂直に配向され、前記坑井内を循環するように構成された前記マイクロチップを受け取るように構成される、前記複数のトラップと；を備える、ステップと；を備える、
方法。
［第１１の局面］
前記複数のトラップは、
ワイヤの第１の屈曲部であって、前記スクリーンの一平面から下方向に屈曲する、前記第１の屈曲部と；
前記スクリーンに向かって戻る、半径が連続的に減少する第２の屈曲部と；
前記ワイヤを前記スクリーンの一平面と同一線上にし平行にする第３の屈曲部と；を備える、
第１０の局面に記載の方法。
［第１２の局面］
前記マイクロチップを分離するステップは、循環される流体をシェーカーテーブルを通過する前に前記スクリーンに流すステップを更に備える、
第１０の局面に記載の方法。
［第１３の局面］
前記トラップが満たされた後に前記スクリーンを除去するステップと；
前記トラップから前記マイクロチップを除去するステップと；を更に備える、
第１０の局面に記載の方法。
［第１４の局面］
地層に形成された坑井と；
前記坑井を通して流体を循環させるように構成された循環ポンプと；
坑井掘り屑を前記循環される流体から分離するように構成されたシェーカーテーブルと；
前記循環される流体と共に前記坑井を通じて循環されるように構成された複数のカプセル化されたマイクロチップと；
スクリーンであって、
平行に延びる複数のワイヤであって、前記複数のワイヤの各々は、ケースに入れられたマイクロチップの幅よりも短い距離で隣接するワイヤの各々から離間され、且つ前記複数のワイヤの各々は、一平面内の複数の直線セグメントと、前記複数の直線セグメントのうちの２つを接続する複数の屈曲セグメントと、を備える、前記複数のワイヤを備え、
前記複数のワイヤの各々について、前記複数のセグメント内の前記屈曲セグメントの各々は、第１の端部と、第２の端部と、前記一平面から離れて湾曲した湾曲部分と、を備え、前記第１の端部は、前記複数の直線セグメントの少なくとも１つに接続され、且つ前記ケースに入れられたマイクロチップの幅よりも大きな距離で前記第２の端部から分離され、前記湾曲部分は、前記ケースに入れられたマイクロチップの幅よりも大きな直径を備える、前記スクリーンと；
前記スクリーンの少なくとも３つの側面から前記スクリーンを固定するように構成されたスクリーン台と；
前記マイクロチップが前記湾曲部分から跳ね返るのを防ぐように構成された障害物と；を備える、
坑井システム。
［第１５の局面］
前記スクリーンは、前記シェーカーテーブルに取り付けられている、
第１４の局面に記載の坑井システム。
［第１６の局面］
前記ケースに入れられたマイクロチップはケースに入れられたマイクロチップの第１のセットであり、前記スクリーンは第１のスクリーンであり、前記ケースに入れられたマイクロチップの第１のセットとは異なるサイズである第２の複数のケースに入れられたマイクロチップを捕捉するように構成されたトラップを備えた第２のスクリーンを更に備える、
第１４の局面に記載の坑井システム。
［第１７の局面］
前記スクリーンは、使用時に水平から１０°〜７５°の範囲で取り付けられる、
第１４の局面に記載の坑井システム。
［第１８の局面］
前記湾曲部分の各々は、使用時に下方向に延びるように構成される、
第１４の局面に記載の坑井システム。
［第１９の局面］
前記スクリーンは、前記シェーカーテーブルの下流に配置される、
第１４の局面に記載の坑井システム。
【符号の説明】
【００４４】
１００  坑井循環システム
１０４  地層
１０６  坑井
１１４  流体
１２１  シェーカーテーブル
１２２  スクリーン
１２３  障害物
１３４  循環ポンプ
２０２  （平行）ワイヤ
２０４  トラップ
２０６  支持ワイヤ
２０７ａ  第１の端部
２０８ａ  第２の端部
２１０ａ  湾曲部分
２１４ａ  直線セグメント
２１６ａ  屈曲セグメント
【図１Ａ】
0006908771.tif 000002
【図１Ｂ】
0006908771.tif 000003
【図２Ａ】
0006908771.tif 000004
【図２Ｂ】
0006908771.tif 000005
【図２Ｃ】
0006908771.tif 000006
【図３】
0006908771.tif 000007